(57)【要約】【課題】パックを確実に保持して、輸送時における内容物の傷みを防止でき、強度にも優れたパック収納箱を提供する。【解決手段】底壁１１の周囲に側壁１２，１３を連設した本体１と、その内部に挿入される仕切体２とから成り、前記仕切体２は、連設した一対の中仕切板２１を背中合わせに折り曲げ、各中仕切板２１から延びる一対の支持板２２及び端仕切板２３を角環状に繋ぎ、中仕切板２１及び端仕切板２３の両側に突片２５を設けた構成とし、その支持板２２にパックＰのフランジを載せると、パックＰが宙吊り状態で支持されるようにする。【選択図】図３
2005119685.tif 000002
【特許請求の範囲】
【請求項１】
底壁１１の周囲に側壁１２，１３を連設した本体１と、その内部に挿入される仕切体２とから成り、前記仕切体２は、連設した一対の中仕切板２１を背中合わせに折り曲げ、各中仕切板２１から延びる一対の支持板２２及び端仕切板２３を角環状に繋ぎ、中仕切板２１及び端仕切板２３の両側に突片２５を設けた構成とし、その支持板２２にパックＰのフランジを載せると、パックＰが宙吊り状態で支持されるようにしたパック収納箱。
【発明の詳細な説明】
【技術分野】
【０００１】
この発明は、いちごパック等の運搬に使用する段ボール箱に関するものである。
【背景技術】
【０００２】
一般に、いちごパックを運搬する際には、図５に示すように、トレー状の本体５１の内部に切溝で噛み合う十字状の仕切壁５２，５３を挿入し、仕切壁５２，５３で形成された各区画にパックＰを収納する段ボール箱を使用する。
【０００３】
この本体５１は、底壁５４の周囲に連設した側壁５５，５６のうち、一対の側壁５５の両側縁から延びる折込片５７を、二重構造とされた側壁５６で抱き込むことにより保形するものである。
【発明の開示】
【発明が解決しようとする課題】
【０００４】
しかしながら、上記のような箱では、パックＰを底壁５４の上に直接置くため、輸送時の衝撃が緩和されることなくパックＰのいちごに作用し、いちごが傷みやすいという問題があった。
【０００５】
また、仕切壁５２，５３が安定しないことから、パックＰの移動を十分に阻止できず、さらに、本体５１の強度が十分でないという問題もあった。
【０００６】
そこで、この発明は、パックを確実に保持して、輸送時における内容物の傷みを防止でき、強度にも優れたパック収納箱を提供することを課題とする。
【課題を解決するための手段】
【０００７】
上記課題を解決するため、この発明は、底壁の周囲に側壁を連設した本体と、その内部に挿入される仕切体とから成り、前記仕切体は、連設した一対の中仕切板を背中合わせに折り曲げ、各中仕切板から延びる一対の支持板及び端仕切板を角環状に繋ぎ、中仕切板及び端仕切板の両側に突片を設けた構成とし、その支持板にパックのフランジを載せると、パックが宙吊り状態で支持されるようにしたのである。
【発明の効果】
【０００８】
この発明に係る箱では、本体の底壁とパックの底面との間に隙間ができるので、輸送中の衝撃が緩和され、パックに詰められたいちご等の傷みが防止される。
【０００９】
また、仕切体が支持板の直立した枠形の堅固な構造となっているので、輸送中にパックがずれることがなく、重量のあるぶどう、栗、いちじく等にも対応できる。
【発明を実施するための最良の形態】
【００１０】
以下、この発明の実施の形態を添付図面に基づいて説明する。
【００１１】
この箱は、いちごパックを収納するトレー状のものであり、図１に示すように段ボールシートを打ち抜いた本体１及び仕切体２のブランクから構成される。
【００１２】
本体１のブランクでは、底壁１１の長辺に側壁１２が、短辺に側壁１３がそれぞれ連設され、側壁１２は、底壁１１から外側板１４、頂板１５及び内側板１６を順次連設したものとされている。
【００１３】
側壁１３の両側縁には折込片１７が連設され、各側壁１３の一方の折込片１７の端部には係合凸部１７ａが、他方の折込片１７の端部には係合凹部１７ｂがそれぞれ設けられている。各折込片１７の外側縁には、組立時における折込片１７の揺動を防止するため、折曲部１７ｃが連設されている。
【００１４】
内側板１６の先端縁には係止突起１６ａが、頂板１５及び内側板１６に亘る２本の切込間には段積み用の係止凸部１５ａがそれぞれ２個ずつ設けられ、底壁１１の外側板１４に沿った部分には、係止突起１６ａ及び係止凸部１５ａを係合させる係止穴１１ａが、底壁１１の短辺方向中央部には、仕切体２を係合させる係止穴１１ｂが設けられている。
【００１５】
一方、仕切体２のブランクでは、一対の中仕切板２１が半切の折目線２１ａを介して連設され、その一側に支持板２２及び端仕切板２３が、他側に支持板２２及び継代片２４がそれぞれ順次連設されている。支持板２２の対向縁両側部は中間部より低くなっており、中仕切板２１及び端仕切板２３の両側には突片２５が設けられている。
【００１６】
また、中仕切板２１には係合突起２１ｂが設けられ、端仕切板２３の角部には押込片２３ａが、継代片２４には押込穴２４ａがそれぞれ設けられている。なお、継代片２４を端仕切板２３に糊付けするのであれば、押込片２３ａ及び押込穴２４ａは不要である。
【００１７】
いま、図２に示すように、本体１のブランクを組み立てるには、底壁１１から側壁１３を起立させ、折込片１７を内側へ折り曲げ、突き合わされる折込片１７の係合凸部１７ａと係合凹部１７ｂとを噛み合わせ、折曲部１７ｃを水平方向へ折り曲げた後、側壁１２の外側板１４、頂板１５及び内側板１６を巻き込むように折り曲げて、折込片１７を側壁１２で抱き込み、係止突起１６ａを係止穴１１ａに係合させる。
【００１８】
また、仕切体２のブランクを組み立てるには、一対の中仕切板２１を折目線２１ａに沿って背中合わせに折り曲げ、各中仕切板２１から延びる一対の支持板２２及び端仕切板２３を角環状に折り曲げて、継代片２４を端仕切板２３の内面に重ね、押込片２３ａを押込穴２４ａに押し込む。
【００１９】
そして、このように組み立てた仕切体２を２個用意し、図３に示すように、端仕切板２３が内側板１６に沿うように本体１に２個並べて挿入し、係合突起２１ｂを係止穴１１ｂに係合させると、本体１の内部が区画され、仕切体２は安定する。
【００２０】
また、外側の突片２５が側壁１３の内面に当接して、支持板２２と側壁１３の間隔が保持され、内側の突片２５が互いに当接して、支持板２２同士の間隔が保持される。
【００２１】
上記各区画にいちごパックＰを収納する際には、図３及び図４に示すように、パックＰの短辺のフランジを、各区画の両側の支持板２２に載せる。これにより、パックＰは宙吊り状態で支持され、本体１の底壁１１とパックＰの底面との間に隙間ができる。
【００２２】
このように、本体１の底壁１１とパックＰの底面との間に隙間ができると、輸送中の衝撃が緩和されるので、パックＰに詰められたいちごの潰れが防止され、潰れた部分からの腐敗が防止される。
【００２３】
なお、上記仕切体２は、支持板２２が直立した枠形の堅固な構造となっているので、輸送中にパックＰがずれることがなく、いちご以外に、重量のあるぶどう、栗、いちじく等にも対応できる。また、仕切体２は、上記のようなトレー状の本体１のほか、様々な形状の本体１に適用できる。
【図面の簡単な説明】
【００２４】
【図１】この発明の実施形態のブランクを示す図
【図２】同上の組立過程を示す分解斜視図
【図３】同上の使用状態を示す斜視図
【図４】同上の縦断正面図
【図５】従来のパック収納箱を示す斜視図
【符号の説明】
【００２５】
１  本体
２  仕切体
１１  底壁
１２，１３  側壁
１４  外側板
１５  頂板
１６  内側板
１７  折込片
２１  中仕切板
２２  支持板
２３  端仕切板
２４  継代片
２５  突片
Ｐ  パック
【図１】
2005119685.tif 000003
【図２】
2005119685.tif 000004
【図３】
2005119685.tif 000005
【図４】
2005119685.tif 000006
【図５】
2005119685.tif 000007